(57)【特許請求の範囲】
【請求項１】
一枚のブランクが折り曲げられて、開口部を備えた箱本体と、上記開口部を開閉する蓋体が組立てられ、上記蓋体は、上記箱本体の側面板に被さる側面部と、同本体前面板に被さる前面部を有する箱形に形成される紙箱において、上記箱本体の側面板における開口縁部と、前面板と接する辺とを結ぶ斜線上に、上記組立状態で外向きに突出する開き止め片が、上記ブランクの状態で上記箱本体の外輪郭よりも外側に突出しない状態で設けられるとともに、上記蓋体を閉じた状態で上記開き止め片に係止して蓋体を閉じ状態に保持する段部が、上記蓋体の側面部における上記開き止め片に対応する斜線上に設けられたことを特徴とする紙箱。
【発明の詳細な説明】
【０００１】
【発明の属する技術分野】
本発明はロール状に巻かれた食品等包装用のラップフィルム（合成樹脂フィルムのほか、アルミホイール、クッキングペーパー等を含む）や固形石鹸その他を収納する紙箱に関するものである。
【０００２】
【従来の技術】
本発明の好適例であるラップフィルム箱を例にとって従来の技術を説明する。
【０００３】
ラップフィルム箱は、図７に示すように、底面板１と前面板２と左右の側面板３，３と背面板４によって上面が開口した箱本体Ａと、この箱本体の上面開口部を開閉する蓋体Ｂとによって細長い直方体状に構成され、内部にロール状に巻かれたラップフィルムＦが収容される。
【０００４】
蓋体Ｂは、天面部５と、箱本体側面板３，３に被さる左右の側面部６，６と、同本体前面板２に被さる前面部７とから成る箱形に構成され、箱本体Ａから引き出されたラップフィルムＦを切断する切断刃８が前面部７の下端部に設けられる。
【０００５】
この箱の展開状態、すなわち、折り曲げられて箱となる厚紙素材としてのブランクＣを図８に示している。
【０００６】
箱本体Ａの底面板１、前面板２、背面板４には、それぞれ左右両端に折重ね片３ａ，３ｂ，３ｃが突設され、箱組立時にこれらが内外に折り重ねられ、かつ接着されて左右の側面板３，３が形成される。
【０００７】
また、蓋体Ｂの天面部５及び前面部７にも同様に左右両端に折り重ね片６ａ，６ｂが突設され、これらが折り重ねられ、かつ接着されて左右の側面部６，６が形成される。
【０００８】
なお、図７，８中、９は箱本体前面板２の開口縁部に内向きに連設されてラップフィルムＦの飛び出しを防止する飛び出し防止片である。また、図８中、Ｘ…は箱本体Ａ及び蓋体ＢをブランクＣから折り曲げて組立てるための折り目である。
【０００９】
このような箱において、収容したラップフィルムＦが箱外に飛び出したり内部に異物が侵入したりしないように、蓋体Ｂを閉じ状態に保持する封止構造が設けられたものが公知である（たとえば特開平８−４０４３４号公報参照）。
【００１０】
この公知の封止構造においては、図示のように、本体側面板３，３の開口縁部に開き止め片１０が外向きに突出して設けられる一方、蓋体Ｂの側面部６，６の内側に段部１１が設けられ、蓋体Ｂを閉じた状態で開き止め片１０が段部１１に係止することによって蓋体Ｂが閉じ状態に保持される。
【００１１】
ここで、開き止め片１０は、図８のブランクＣの作製段階で、本体底面板１に連設された折り重ね片３ａに折り目Ｙを介して連設され、組立時にこの折り目Ｙによって図７に示すように外向きに折り曲げられる。
【００１２】
【発明が解決しようとする課題】
ところが、この公知の封止構造によると、開き止め片１０を、箱本体Ａを構成するために必要な外輪郭（基本外形）から長さ方向の両側に突出して設けるため、図８中に二点鎖線で示すようにこの開き止め片１０の突出寸法ｍ分、ブランクＣを切り出すための原紙全体の全長寸法が両側に拡大してその面積、すなわち紙の使用量が増え、コストが高くなっていた。
【００１３】
また、開き止め片１０，１０がブランクＣにおける長さ方向の最も外側に位置するため、ブランクＣの保管、運搬時等にこの開き止め片１０，１０が他の物と接触、衝突して破損するおそれが高かった。
【００１４】
そこで本発明は、開き止め片を設けながら紙の使用量の増加や開き止め片の破損を招くおそれがない紙箱を提供するものである。
【００１５】
【課題を解決するための手段】
請求項１の発明は、一枚のブランクが折り曲げられて、開口部を備えた箱本体と、上記開口部を開閉する蓋体が組立てられ、上記蓋体は、上記箱本体の側面板に被さる側面部と、同本体前面板に被さる前面部を有する箱形に形成される紙箱において、上記箱本体の側面板における開口縁部と、前面板と接する辺とを結ぶ斜線上に、上記組立状態で外向きに突出する開き止め片が、上記ブランクの状態で上記箱本体の外輪郭よりも外側に突出しない状態で設けられるとともに、上記蓋体を閉じた状態で上記開き止め片に係止して蓋体を閉じ状態に保持する段部が、上記蓋体の側面部における上記開き止め片に対応する斜線上に設けられたものである。
【００１６】
このように、開き止め片が、ブランクの状態で箱本体の外輪郭よりも外側に突出しない状態で本体側面板に設けられているため、この開き止め片によってブランク原紙の必要面積が増加する弊害が生じない。このため、公知の箱と比較して紙の使用量が少なくてすむ。
【００１７】
また、ブランクの状態で、開き止め片が最も外側の部分とならないため、ブランクの運搬時等にこの開き止め片が他の物と接触・衝突して破損するおそれがない。
【００１８】
さらに、次の効果を得ることができる。
【００１９】
(ｉ)  開き止め片と段部による係止作用が、箱本体の前側コーナー上部の近くという、タイトで寸法精度を確保し易く、かつ、蓋体の開きを止める係止力が最も効率良く作用する部分で行われるため、安定した封止機能を得ることができる。
【００２０】
(ｉｉ)  ラップフィルム箱のようにロール状に巻かれた物品（以下、ロール体という）を収容する箱において、開き止め片がロール体の端面から外れた位置（箱本体前側コーナー上部の近く）にあることで、ロール体に阻まれずに内側に自由に移動できるため、開き止め片が蓋体の開閉抵抗とならず軽快に開閉できる。
【００２１】
(ｉｉｉ)  上記のように開き止め片が内側に逃げ得ることで無理な荷重が作用しないため、開き止め片のへたりが少なく、封止機能が長期に亘って維持される。
【００２２】
(ｉｖ)  箱を外箱に縦詰めして運搬する場合等に、開き止め片にロール体ごしに荷重が作用して開き止め片がつぶれるおそれがない。
【００２３】
(ｖ)  蓋体を閉じた状態で、傾斜した段部と開き止め片が面当たりし、蓋体が開こうとする力に対して安定した抗力を発揮するため、封止機能がより確実なものとなる。
【００２４】
【発明の実施の形態】
本発明の実施形態及び参考形態を図１〜図６によって説明する。
【００２５】
以下の実施形態及び参考形態では、従来技術の説明に合わせてラップフィルム箱を適用対象として例にとっている。
【００２６】
参考形態（図１〜図４参照）
図１〜図３において、Ｄは箱本体、Ｅは蓋体である。
【００２７】
箱本体Ｄは、底面板２１と前面板２２と左右の側面板２３，２３と背面板２４によって上面が開口した細長い直方体状に形成され、内部にロール状に巻かれたラップフィルムＦが収容される。
【００２８】
蓋体Ｂは、天面部２５と、箱本体側面板２３，２３に被さる左右の側面部２６，２６と、同本体前面板２２に被さる前面部２７とから成る箱形に構成され、箱本体Ｄから引き出されたラップフィルムＦを切断する切断刃２８が前面部２７の下端部に設けられる。
【００２９】
２９は箱本体前面板２２の開口縁部に内向きに連設されてラップフィルムＦの飛び出しを防止する飛び出し防止片である。
【００３０】
一方、蓋体Ｅの封止構造として、本体側面板２３，２３の開口縁部に開き止め片３０が外向きに突出して設けられるとともに、蓋体Ｂの側面部２６，２６の内側に段部３１が設けられ、蓋体Ｂを閉じた状態で開き止め片３０が段部３１に係止することによって蓋体Ｂが閉じ状態に保持される。
【００３１】
ここで、開き止め片３０は、箱本体側面板２３，２３の開口縁部前側に設けられ、この開き止め片３０と段部３１の係止作用が、箱本体側面板２３，２３と前面板２２とがなすコーナー上部の近傍部分で行われる。
【００３２】
なお、開き止め片３０は、図示の四角形に限らず、半円形や台形等、他の形状としてもよい。
【００３３】
この箱の展開状態、すなわち、折り曲げられて箱となる厚紙素材としてのブランクＧを図４に示している。
【００３４】
図７，８に示す従来の箱と同様に、箱本体Ｄの底面板２１、前面板２２、背面板２４には、それぞれ左右両端に折重ね片２３ａ，２３ｂ，２３ｃが突設され、箱組立時に、これらが上記順で外側、中間、内側に重ねられ、かつ接着されて左右の側面板２３，２３が形成される。
【００３５】
また、蓋体Ｅの天面部２５及び前面部２７にも同様に左右両端に折り重ね片２６ａ，２６ｂが突設され、これらが折り重ねられ、かつ、接着されて左右の側面部２６，２６が形成される。
【００３６】
図４中、Ｘ…は箱本体Ｄ及び蓋体ＥをブランクＧから折り曲げて組立てるための折り目である。
【００３７】
開き止め片３０，３０は、このブランクＧの作製段階で、本体前面板２２に連設された折り重ね片２３ｂに折り目Ｙを介してブランク幅方向（図４の上下方向）の外向きに連設され、組立時に、折り目Ｙにより図１，２に示すように外向きに折り曲げられる。
【００３８】
一方、蓋体天面部２５及び前面部２７に連設された折り重ね片２６ａ，２６ｂ間に隙間αが設けられ、両折り重ね片２６ａ，２６ｂがこの隙間αを保ったまま内外に折り重ねて接着されることによって折り重ね片２６ａ，２６ｂ間に図１〜図３に示す段部３１が形成される。
【００３９】
この箱においては、開き止め片３０が、ブランクＧの状態で、本体側面板２３を形成する折り重ね片２３ｂのブランク幅方向の側方に、飛び出し防止片２９よりも突出しない寸法で突設されている。
【００４０】
すなわち、この開き止め片３０は、箱本体Ｄの外輪郭（箱本体Ｄの必須部分で形成される基本的外形）よりもブランク長さ方向及び幅方向に一切突出しない状態で設けられている。このため、この開き止め片３０によってブランク原紙の寸法が長さ方向にも幅方向にも増加するおそれがない。つまり、開き止め片３０を設けたために原紙の必要面積が拡大する弊害が生じず、図７，８に示す公知の箱と比較して紙の使用量を減少させることができる。
【００４１】
また、開き止め片３０と段部３１の係止作用が行われる箱本体Ｄの前側コーナー上部近辺は、同コーナーから離れた部分と比較してタイトで寸法精度を確保し易く、かつ、蓋体の開きを止める封止力が最も効率良く作用する部分であるため、安定した封止機能を得ることができる。
【００４２】
さらに、開き止め片３０を箱本体前側コーナー上部近くに設けたことにより、次のような利点を有する。
【００４３】
（イ）図３に示すように、開き止め片３０が、ロール状に巻かれたラップフィルムＦ（同フィルムＦが巻かれた紙管Ｆ１を含む）の端面から外れるため、蓋体Ｅの開閉時に、この開き止め片３０がラップフィルムＦに阻まれずに内側に自由に移動することができる。このため、開き止め片３０が蓋体Ｅの開閉抵抗とならず軽快に開閉できる。
【００４４】
（ロ）  上記のように開き止め片３０が内側に逃げ得ることで無理な荷重が作用しないため、開き止め片３０のへたりが少なく、封止機能が長期に亘って維持される。
【００４５】
（ハ）  ラップフィルム箱は運搬時等は大形の外箱に縦詰めされる。この場合、開き止め片３０にラップフィルムＦごしに荷重が作用して開き止め片３０がつぶれるおそれがない。
【００４６】
実施形態（図５，６参照）
上記参考形態を踏まえて実施形態を説明する。
【００４７】
参考形態との相違点のみを説明すると、実施形態においては、開き止め片３０が、箱本体側面板２３の前側コーナー上部において、開口縁部と、前面板２２と接する辺とを結ぶ斜線上で折り目Ｙを介して傾斜して設けられている。
【００４８】
一方、蓋体側面部２６を形成する折り重ね片２６ａにおけるもう一つの折り重ね片２６ｂと対向する辺に略Ｖ字形の切欠３２が設けられ、両折り重ね辺２６ａ，２６ｂが折り重ね接着された状態で、切欠３２の一方の傾斜辺側に、開き止め片３０が係止する段部３２ａが形成される。
【００４９】
この構成によると、参考施形態と同じ基本的作用効果に加えて、蓋体Ｅを閉じた状態で、傾斜した段部３２ａと開き止め片３０が面当たりし、蓋体Ｅが開こうとする力に対して安定した抗力を発揮するため、封止機能がより確実なものとなる。
【００５０】
ところで、本発明は上記実施形態で例にとったラップフィルム箱に限らず、固形石鹸が収納される箱等、直方体状の箱に広く適用することができる。
【００５１】
【発明の効果】
上記のように本発明によるときは、開き止め片が、ブランクの状態で箱本体の外輪郭よりも外側に突出しない状態で設けられているため、この開き止め片によってブランク原紙の必要面積、つまり紙の使用量が増加する弊害が生じない。このため、公知の箱と比較して紙の使用量を節減してコストダウンを実現することができる。
【００５２】
また、ブランクの状態で、開き止め片が最も外側の部分とならないため、ブランクの運搬時等にこの開き止め片が他の物と接触・衝突して破損するおそれがない。
【００５３】
さらに、開き止め片と段部による係止作用が、箱本体の前側コーナー上部の近くで行われる構成としたから、安定した封止機能を得ることができるとともに、ラップフィルム箱のようにロール体を収容する箱において、開き止め片がロール体に阻まれずに内側に自由に移動できることにより蓋体の開閉抵抗とならず軽快に開閉できる。
【００５４】
また、上記のように開き止め片が内側に逃げ得ることで無理な荷重が作用しないため、開き止め片のへたりが少なくて封止機能が長期に亘って維持され、かつ、箱を外箱に縦詰めして運搬する場合等に、開き止め片にロール体ごしに荷重が作用して開き止め片がつぶれるおそれがない。
【００５５】
一方、蓋体を閉じた状態で、傾斜した段部と開き止め片が面当たりし、蓋体が開こうとする力に対して安定した抗力を発揮するため、封止機能がより確実なものとなる。
【図面の簡単な説明】
【図１】  本発明の参考形態にかかるラップフィルム箱の斜視図である。
【図２】  同箱の一端側を拡大しかつ一部分解して示す斜視図である。
【図３】  同箱の拡大側面図である。
【図４】  同箱の展開図である。
【図５】  本発明の実施形態にかかるラップフィルム箱の部分斜視図である。
【図６】  同箱の展開図である。
【図７】  従来のラップフィルム箱の斜視図である。
【図８】  同箱の展開図である。
【符号の説明】
Ｄ  箱本体
２１  箱本体を構成する底面板
２２  同前面板
２３，２３  同側面板
２４  背面板
Ｅ  蓋体
２５  蓋体の天面部
２６，２６  同側面部
２７  同前面部
３０  開き止め片
３２ａ  段部
【図１】
0004509304.tif 000002
【図２】
0004509304.tif 000003
【図３】
0004509304.tif 000004
【図４】
0004509304.tif 000005
【図５】
0004509304.tif 000006
【図６】
0004509304.tif 000007
【図７】
0004509304.tif 000008
【図８】
0004509304.tif 000009